(57)【要約】【課題】ボールと前端縁部との確実なシール性と十分なインキ流出性とが得られるボールペンを提供する。【解決手段】押圧部材５が、ボールペンチップ２内に配置され且つボール３の後面に前端部が当接される。弾発部材６が押圧部材５を前方に付勢することによりボール３を前方に押圧され、ボール３が前端縁部４１の内面に密接される。押圧部材５が、内方突出部４２の相互間のインキ流通間隙４２ａに挿通され且つボール後面に当接される小径部５１と、該小径部５１より後方に連設され且つ該小径部５１より大きい外径を有する大径部５２とを備える。大径部５２が筒体４内を前後方向に摺動可能に構成される。【選択図】  図２
2016124193.tif 000002
【特許請求の範囲】
【請求項１】
金属製の筒体の前端に内向きの前端縁部が形成され、前記前端縁部の後方の筒体の前端近傍内面にボール受け座用の複数の内方突出部が形成され、前記筒体の前端部の前記前端縁部と前記内方突出部との間でボールが回転可能に抱持されたボールペンチップと、前記ボールペンチップ内に配置され且つ前記ボールの後面に前端部が当接される押圧部材と、前記押圧部材を前方に付勢することにより前記ボールを前方に押圧し且つ前記ボールを前端縁部の内面に密接させる弾発部材と、を備えたボールペンであって、
前記押圧部材が、前記内方突出部の相互間のインキ流通間隙に挿通され且つ前記ボール後面に当接される小径部と、該小径部より後方に連設され且つ該小径部より大きい外径を有する大径部とを備え、前記大径部が前記筒体内を前後方向に摺動可能に構成されたことを特徴とするボールペン。
【請求項２】
前記ボールペンチップが、前端にボールが抱持された直円筒状の小径筒部と、該小径筒部より後方に一体に連設され且つ後方に向かうに従い拡径するテーパ筒部と、該テーパ筒部より後方に一体に連設される直円筒状の大径筒部と、を備え、前記押圧部材の大径部の前端部に環状の当接面が形成され、前記押圧部材の大径部が前記大径筒部内を前後方向に摺動可能に構成され、前記ボールが前記筒体の前端部で回転可能に抱持された状態において、前記テーパ筒部のテーパ状内面と当接面との間に前後方向の隙間を有し、前記ボールが前記筒体の前端部から脱落した状態において、前記テーパ筒部のテーパ状内面と当接面の内面が環状に密接する請求項１に記載のボールペン。
【請求項３】
前記押圧部材の大径部の外面または前記大径筒部の内面に軸方向に延びる溝を形成し、前記大径部の外面と前記大径筒部の内面との間に軸方向のインキ流通路を形成した請求項２に記載のボールペン。
【請求項４】
前記当接面が後方に向かうに従い拡径するテーパ状外面を有し、前記当接面のテーパ状外面と前記テーパ筒部のテーパ状内面とが、当接した際に面状接触する請求項２または３記載のボールペン。
【発明の詳細な説明】
【技術分野】
【０００１】
本発明は、ボールペンに関する。
【背景技術】
【０００２】
従来この種の筆記具において、例えば、特許文献１には、ボール受け座用の内方突出部の相互間に、ボールを前方に押圧する押圧部材の先端部を挿通させたボールペン先端部が開示されている。特許文献２には、ボール受け座の中心孔に可動体の小径部を挿通させ、該可動体の小径部の先端をボール後面に当接させたボールペン先端部が開示されている。
【先行技術文献】
【特許文献】
【０００３】
【特許文献１】特開２００６−１０２９５６号公報
【特許文献２】特開２００８−１１０５７９号公報
【発明の概要】
【発明が解決しようとする課題】
【０００４】
前記特許文献１及び２のボールペンは、いずれも、ボールを前方に押圧する押圧部材の小径部または可動体の小径部がボール受け座の内方突出部によりガイドされ、ボール後面に当接される構造が採用される。それにより、前記特許文献１及び２のボールペンは、ボール受け座の内方突出部の相互間のインキ流通間隙が小さくなり、インキ流出性が低下するおそれがある。その上、前記特許文献１及び２のボールペンは押圧部材や可動体をボールペンチップ内に収容することにより、ボール受け座後方のインキ流通空間が小さくなり、一層、インキ流出性が阻害されるおそれがある。
【０００５】
本発明は、前記従来の不具合を解決するものであって、ボールと前端縁部との確実なシール性と十分なインキ流出性とが得られるボールペンを提供しようとするものである。また、本発明は、ボールと前端縁部との確実なシール性と十分なインキ流出性とが得られるとともに、落下等の衝撃でボールが外部に脱落した場合でもインキが外部に漏出すること防止できるボールペンを提供しようとするものである。
尚、本発明において、「前」とはペン先側を指し、「後」とはその反対側を指す。
【課題を解決するための手段】
【０００６】
本願の第１の発明は、金属製の筒体４の前端に内向きの前端縁部４１が形成され、前記前端縁部４１の後方の筒体４の前端近傍内面にボール受け座用の複数の内方突出部４２が形成され、前記筒体４の前端部の前記前端縁部４１と前記内方突出部４２との間でボール３が回転可能に抱持されたボールペンチップ２と、前記ボールペンチップ２内に配置され且つ前記ボール３の後面に前端部が当接される押圧部材５と、前記押圧部材５を前方に付勢することにより前記ボール３を前方に押圧し且つ前記ボール３を前端縁部４１の内面に密接させる弾発部材６と、を備えたボールペンであって、前記押圧部材５が、前記内方突出部４２の相互間のインキ流通間隙４２ａに挿通され且つ前記ボール後面に当接される小径部５１と、該小径部５１より後方に連設され且つ該小径部５１より大きい外径を有する大径部５２とを備え、前記大径部５２が前記筒体４内を前後方向に摺動可能に構成されたことを要件とする。
【０００７】
前記第１の発明のボールペン１は、前記押圧部材５が、前記内方突出部４２の相互間のインキ流通間隙４２ａに挿通され且つ前記ボール後面に当接される小径部５１と、該小径部５１より後方に連設され且つ該小径部５１より大きい外径を有する大径部５２とを備え、前記大径部５２が前記筒体４内を前後方向に摺動可能に構成されたこと押圧部材５の大径部５２が大径筒内で前後方向にガイドされながら摺動するため、ボール後面の中心部に小径部５１の前端を確実に当接させることができ、ボール３と前端縁部４１との確実なシール性が得られるとともに、押圧部材５の小径部５１が内方突出部４２の相互間でガイドされる必要がなくなり、内方突出部４２の相互間を大きく設定することができ、その結果、十分なインキ流出性が得られる。
【０００８】
本願の第２の発明は、前記第１の発明のボールペン１において、前記ボールペンチップ２が、前端にボール３が抱持された直円筒状の小径筒部４ａと、該小径筒部４ａより後方に一体に連設され且つ後方に向かうに従い拡径するテーパ筒部４ｂと、該テーパ筒部４ｂより後方に一体に連設される直円筒状の大径筒部４ｃと、を備え、前記押圧部材５の大径部５２の前端部に環状の当接面５３が形成され、前記押圧部材５の大径部５２が前記大径筒部４ｃ内を前後方向に摺動可能に構成され、前記ボール３が前記筒体４の前端部で回転可能に抱持された状態において、前記テーパ筒部４ｂのテーパ状内面と当接面５３との間に前後方向の隙間を有し、前記ボール３が前記筒体４の前端部から脱落した状態において、前記テーパ筒部４ｂのテーパ状内面と当接面５３の内面が環状に密接することを要件とする。
【０００９】
前記第２の発明のボールペン１は、前記押圧部材５の大径部５２の前端部に環状の当接面５３が形成され、前記押圧部材５の大径部５２が前記大径筒部４ｃ内を前後方向に摺動可能に構成され、前記ボール３が前記筒体４の前端部で回転可能に抱持された状態において、前記テーパ筒部４ｂのテーパ状内面と当接面５３との間に前後方向の隙間を有し、前記ボール３が前記筒体４の前端部から脱落した状態において、前記テーパ筒部４ｂのテーパ状内面と当接面５３の内面が環状に密接すること
により、筆記使用時は、前記テーパ筒部４ｂのテーパ状内面と当接面５３との間に前後方向の隙間を有するため、十分なインキ流出性が得られ、万一、ボール３がボールペンチップ２から脱落した場合には、インキ漏出の防止ができ、ボール脱落時のインキ漏出事故に対する安全性を備える。
【００１０】
本願の第３の発明は、前記第２の発明のボールペン１において、前記押圧部材５の大径部５２の外面または前記大径筒部４ｃの内面に軸方向に延びる溝を形成し、前記大径部５２の外面と前記大径筒部４ｃの内面との間に軸方向のインキ流通路５２ａを形成したことを要件とする。
【００１１】
前記第３の発明のボールペン１は、前記押圧部材５の大径部５２の外面または前記大径筒部４ｃの内面に軸方向に延びる溝を形成し、前記大径部５２の外面と前記大径筒部４ｃの内面との間に軸方向のインキ流通路５２ａを形成したことにより、ボールペンチップ２内に押圧部材５を収容したにもかかわらず、より一層、十分なインキ流出性が得られる。
【００１２】
本願の第４の発明は、前記第２の発明または第３の発明のボールペン１において、前記当接面５３が後方に向かうに従い拡径するテーパ状外面を有し、前記当接面５３のテーパ状外面と前記テーパ筒部４ｂのテーパ状内面とが、当接した際に面状接触することを要件とする。
【００１３】
前記第４の発明のボールペン１は、前記当接面５３が後方に向かうに従い拡径するテーパ状外面を有し、前記当接面５３のテーパ状外面と前記テーパ筒部４ｂのテーパ状内面とが、当接した際に面状接触することにより、ボール脱落時のインキ漏出を確実に防止できる。前記テーパ状外面とは、例えば、円錐面状外面、凸曲面状外面、凹曲面状外面が挙げられる。前記テーパ状内面とは、例えば、円錐面状内面、凸曲面状内面、凹曲面状内面が挙げられる。前記テーパ状外面と前記テーパ状内面とを面状接触させるには、前記テーパ状外面と前記テーパ状内面との面状接触部分を一致させることが好ましい。
【発明の効果】
【００１４】
本発明のボールペンによれば、ボールと前端縁部４１との確実なシール性と十分なインキ流出性とが得られる。
【図面の簡単な説明】
【００１５】
【図１】本発明の実施の形態の示す縦断面図である。
【図２】図１の要部拡大縦断面図である。
【図３】図２の要部拡大縦断面図である。
【図４】図３のＡ−Ａ線断面図である。
【図５】図３のＢ−Ｂ線断面図である。
【図６】ボール脱落時の要部拡大縦断面図である。
【発明を実施するための形態】
【００１６】
図１乃至図６に本発明の実施の形態を示す。
【００１７】
・ボールペン
本実施の形態のボールペン１は、前端部にボール３を回転可能に抱持したボールペンチップ２と、該ボールペンチップ２の後部がその前部に圧入固着されたホルダー７と、該ホルダー７の後部がその前端開口部に圧入固着されたインキ収容筒と、前記ボールペンチップ２の内部に収容配置された押圧部材５及び弾発部材６と、前記インキ収容筒８の後端開口部に圧入固着される尾栓９とからなる。前記尾栓９は、インキ収容筒８内と外気とを連通可能にする通気孔を有する
【００１８】
・ボールペンチップ
前記ボールペンチップ２は、金属製の筒体４とボール３とからなる。前記筒体４が、前端にボールを回転可能に抱持する直円筒状の小径筒部４ａと、該小径筒部４ａより後方に連設され且つ後方に向かうに従い拡径するテーパ筒部４ｂと、該テーパ筒部４ｂより後方に連設される直円筒状の大径筒部４ｃとからなる。前記筒体４は、例えば、ＳＵＳ３０４、ＳＵＳ３０５、ＳＵＳ３２１等のオーステナイト系ステンレス鋼により得られる。前記筒体４の小径筒部４ａの前端近傍内面には、内方への押圧変形により、複数（例えば、４個）の内方突出部４２が周方向に等間隔に形成される。前記内方突出部４２によりボール受け座が形成される。また、前記筒体４の前端には、周状に内方に押圧変形されることにより、内向きの前端縁部４１が形成される。前記内方突出部４２（ボール受け座）の前面と前記前端縁部４１の後面との間にはボール３が回転可能に抱持される。前記内方突出部４２の相互間には、中心部から径方向外方に延び且つ軸方向に貫通するインキ流通間隙４２ａが形成される。即ち、前記ボール受け座には、前記インキ流通間隙４２ａが形成される。前記筒体４は、略均一肉厚を有する。
【００１９】
・ホルダー
前記ホルダー７は合成樹脂（例えば、ポリプロピレン）の射出成形によって得られる筒状体である。前記ホルダー７は、ボールペンチップ２が取り付けられる先細状の前部と、インキ収容筒８の先端面に当接する鍔部と、インキ収容筒８の前端開口部に圧入される後部とからなる。
【００２０】
・インキ収容筒
前記インキ収容筒８は、合成樹脂（例えば、ポリプロピレン）の押出成形により得られる、両端が開口された円筒状部材である。前記インキ収容筒８の内部には、インキ８１と、該インキの消費に伴って前進する高粘度流体からなる追従体８２が充填される。
【００２１】
・押圧部材
前記押圧部材５は、ボールペンチップ２内に配置され且つボール３の後面に前端部が当接される。前記押圧部材５の後端には前記弾発部材６の前端が当接され、前記押圧部材５が前方に付勢される。
【００２２】
前記押圧部材５は、前記内方突出部４２の相互間のインキ流通間隙４２ａに挿通され且つ前記ボール３後面に当接される棒状（直円柱状）の小径部５１と、該小径部５１より後方に連設され且つ該小径部５１より大きい外径を有する大径部５２と、該大径部５２の前端に形成される環状の当接面５３とを備える。前記大径部５２が前記大径筒部４ｃ内を前後方向に摺動可能に構成される。前記押圧部材５は合成樹脂または金属材料により、一体または複数の部材の組合せにより形成される。
【００２３】
前記押圧部材５の大径部５２の外面に軸方向に延びる溝が形成され、前記大径部５２の外面と前記大径筒部４ｃの内面との間に軸方向のインキ流通路５２ａが形成される。
【００２４】
前記各々の内方突出部４２の頂部に接する仮想内設円の直径（Ａ１）と前記内方突出部４２の相互間に挿通される押圧部材５の小径部５１の外径（Ａ２）との差（ΔＡ）が、前記大径部５２が摺動する大径筒部４ｃの内径（Ｂ１）と前記大径部５２の外径（Ｂ２）との差（ΔＢ）をよりも大きく設定される。それにより、押圧部材５の大径部５２が大径筒内でガイドされながら摺動するため、ボール３後面の中心部に小径部５１の前端を確実に当接させることができ、ボール３と前端縁部４１との確実なシール性が得られるとともに、押圧部材５の小径部５１が内方突出部４２の相互間でガイドされる必要がなくなり、内方突出部４２の相互間を大きく設定することができ、その結果、十分なインキ流出性が得られる。
【００２５】
前記ボール３が前記筒体４の前端部で回転可能に抱持された状態において、前記テーパ筒部４ｂのテーパ状内面と当接面５３との間に前後方向の隙間を有し、前記ボール３が前記筒体４の前端部から脱落した状態において、前記テーパ筒部４ｂのテーパ状内面と当接面５３の内面が環状に密接する。前記当接面５３が後方に向かうに従い拡径するテーパ状外面（円錐面）を有し、前記当接面５３のテーパ状の外面の傾斜角度が、前記テーパ筒部４ｂのテーパ状内面（円錐面）の傾斜角度と略同一の角度に設定される。それにより、ボール３が外部に脱落した際、押圧部材５の当接面５３とテーパ筒部４ｂのテーパ状内面とが面状に接触され、確実にインキ漏出を防止できる。
【００２６】
・弾発部材
前記弾発部材６は、金属線材（例えば、ステンレス鋼製線材）を螺旋状（コイル状）に巻回された圧縮コイルスプリングよりなる。前記弾発部材６の前端が押圧部材５の後端に当接され、それにより、前記押圧部材５が前方に付勢される。
【００２７】
本実施の形態のボールペン１は、前記押圧部材５が、前記内方突出部４２の相互間のインキ流通間隙４２ａに挿通され且つ前記ボール３後面に当接される小径部５１と、該小径部５１より後方に連設され且つ該小径部５１より大きい外径を有する大径部５２とを備え、前記大径部５２が前記筒体４内を前後方向に摺動可能に構成されたこと押圧部材５の大径部５２が大径筒内で前後方向にガイドされながら摺動するため、ボール３後面の中心部に小径部５１の前端を確実に当接させることができ、ボール３と前端縁部４１との確実なシール性が得られるとともに、押圧部材５の小径部５１が内方突出部４２の相互間でガイドされる必要がなくなり、内方突出部４２の相互間を大きく設定することができ、その結果、十分なインキ流出性が得られる。
【００２８】
本実施の形態のボールペン１は、前記ボール３が前記筒体４の前端部で回転可能に抱持された状態（図３）において、前記テーパ筒部４ｂのテーパ状内面と当接面５３との間に前後方向の隙間を有し、前記ボール３が前記筒体４の前端部から脱落した状態（図６）において、前記テーパ筒部４ｂのテーパ状内面と当接面５３の内面が環状に密接する。それにより、本実施の形態のボールペン１は、筆記使用時は、前記テーパ筒部４ｂのテーパ状内面と当接面５３との間に前後方向の隙間を有するため、十分なインキ流出性が得られ、万一、ボール３がボールペンチップ２から脱落した場合には、インキ漏出の防止ができ、ボール脱落時のインキ漏出事故に対する安全性を備える。
【００２９】
本実施の形態のボールペン１は、前記押圧部材５の大径部５２の外面または前記大径筒部４ｃの内面に軸方向に延びる溝を形成し、前記大径部５２の外面と前記大径筒部４ｃの内面との間に軸方向のインキ流通路５２ａを形成したことにより、ボールペンチップ２内に押圧部材５を収容したにもかかわらず、より一層、十分なインキ流出性が得られる。
【００３０】
本実施の形態のボールペン１は、前記当接面５３のテーパ状の外面と前記テーパ筒部４ｂのテーパ状内面とが、当接した際に面状接触することにより、ボール脱落時のインキ漏出を確実に防止できる。
【符号の説明】
【００３１】
１  ボールペン
２  ボールペンチップ
３  ボール
４  筒体
４１  前端縁部
４２  内方突出部
４２ａ  インキ流通間隙
４ａ  小径筒部
４ｂ  テーパ筒部
４ｃ  大径筒部
５  押圧部材
５１  小径部
５２  大径部
５２ａ  インキ流通路
５３  当接面
６  弾発部材
７  ホルダー
８  インキ収容筒
８１  インキ
８２  追従体
９  尾栓
【図１】
2016124193.tif 000003
【図２】
2016124193.tif 000004
【図３】
2016124193.tif 000005
【図４】
2016124193.tif 000006
【図５】
2016124193.tif 000007
【図６】
2016124193.tif 000008